(57)【要約】【課題】従来のＤＣＤＣコンバータや鳴動回路で消費される電力は、スリープ時でも常に消費される。更に従来は、ＤＣＤＣコンバータ及び鳴動回路の設定や切り替え動作を行うため、システム制御用のＭＰＵを常時オンさせている。このためスリープ時の消費電力が増大することになる。【解決手段】電話機を接続する画像通信装置であって、画像通信装置を制御する第１制御手段は、省電力状態で前記電話機を無鳴動待機させる場合、切替手段により電話機と、検知手段に供給する間欠オフフック電圧を生成する生成手段とを接続させて省電力状態に移行し、当該省電力状態において前記生成手段を制御する第２制御手段が前記生成手段により前記間欠オフフック電圧を生成させて、電話機のオフフックを検知する検知手段に供給させる。【選択図】  図５
2018050266.tif 000002
【特許請求の範囲】
【請求項１】
電話機を接続する画像通信装置であって、
前記画像通信装置を制御する第１制御手段と、
前記電話機のオフフックを検知する検知手段と、
前記電話機を鳴動させる擬似ＣＩ信号、或いは前記検知手段に供給する間欠オフフック電圧を生成する生成手段と、
前記電話機を通信回線に接続するか、前記生成手段に接続するかを切り替える切替手段と、
前記生成手段を制御する第２制御手段と、を有し、
前記第１制御手段は、省電力状態で前記電話機を無鳴動待機させる場合、前記切替手段により前記電話機と前記生成手段とを接続させて省電力状態に移行し、当該省電力状態において前記第２制御手段が前記生成手段により前記間欠オフフック電圧を生成させて前記検知手段に供給させることを特徴とする画像通信装置。
【請求項２】
電話機を接続する画像通信装置であって、
前記画像通信装置を制御する第１制御手段と、
前記電話機のオフフックを検知する検知手段と、
前記検知手段に供給する間欠オフフック電圧を生成する生成手段と、
前記電話機を通信回線に接続するか、前記生成手段に接続するかを切り替える切替手段と、
前記生成手段を制御する第２制御手段と、を有し、
前記第１制御手段は、省電力状態で前記電話機を無鳴動待機させる場合、前記切替手段により前記電話機と前記生成手段とを接続させて省電力状態に移行し、当該省電力状態において前記第２制御手段が前記生成手段により前記間欠オフフック電圧を生成させて前記検知手段に供給させることを特徴とする画像通信装置。
【請求項３】
前記間欠オフフック電圧のオンとオフの期間のデューティを設定する設定手段を、更に有し、前記生成手段は、前記設定手段により設定されたデューティに従って前記間欠オフフック電圧を生成することを特徴とする請求項１又は２に記載の画像通信装置。
【請求項４】
省電力状態で前記電話機を無鳴動待機させる場合は、前記画像通信装置が、着信呼び出し、リモート受信、ＦＡＸ−ＴＥＬ切り替え、手動受信に設定されている場合を含むことを特徴とする請求項１乃至３のいずれか１項に記載の画像通信装置。
【請求項５】
前記第１制御手段は、前記省電力状態における前記第２制御手段の制御の内容を、前記第１制御手段が前記省電力状態に移行する前に前記第２制御手段に対して指示することを特徴とする請求項１乃至４のいずれか１項に記載の画像通信装置。
【請求項６】
前記第１制御手段は、前記省電力状態から復帰した後でも、前記第２制御手段が前記生成手段により前記間欠オフフック電圧を生成させて前記検知手段に供給させるように制御することを特徴とする請求項１乃至５のいずれか１項に記載の画像通信装置。
【請求項７】
前記間欠オフフック電圧は、前記間欠オフフック電圧が出力されるオンの期間と、前記間欠オフフック電圧が出力されないオフの期間とを含み、前記オンの期間で前記検知手段が前記電話機のオフフックを検知できることを特徴とする請求項１乃至６のいずれか１項に記載の画像通信装置。
【請求項８】
前記生成手段は、ＤＣＤＣコンバータを有し、当該ＤＣＤＣコンバータの入力側である一次側と、出力側である二次側はトランスにより絶縁されていることを特徴とする請求項１乃至７のいずれか１項に記載の画像通信装置。
【請求項９】
前記第１制御手段は、前記省電力状態の無鳴動待機から前記省電力状態の鳴動待機に変更する場合、前記切替手段により前記電話機と通信回線とを接続させ、前記第２制御手段による前記生成手段の制御を停止させることを特徴とする請求項１乃至８のいずれか１項に記載の画像通信装置。
【請求項１０】
制御部を有し、電話機を接続する画像通信装置を制御する制御方法であって、
検知手段が、前記電話機のオフフックを検知する検知工程と、
生成手段が、前記電話機を鳴動させる擬似ＣＩ信号、或いは前記検知手段に供給する間欠オフフック電圧を生成する生成工程と、
切替手段が、前記電話機を通信回線に接続するか、前記生成手段に接続するかを切り替える切替工程と、
制御手段が、前記生成手段を制御する第２制御工程と、を有し、
前記制御部は、省電力状態で前記電話機を無鳴動待機させる場合、前記切替工程で前記電話機と前記生成手段とを接続させて省電力状態に移行し、当該省電力状態において前記制御手段が前記生成手段により前記間欠オフフック電圧を生成させて前記検知手段に供給させることを特徴とする画像通信装置の制御方法。
【請求項１１】
コンピュータを、請求項１乃至９のいずれか１項に記載の画像通信装置の各手段として機能させるためのプログラム。
【発明の詳細な説明】
【技術分野】
【０００１】
本発明は、画像通信装置及びその制御方法とプログラムに関する。
【背景技術】
【０００２】
従来のファクシミリ等の画像通信装置として、着信時に付属の電話機を鳴動させることなく、着信が画像通信か電話かを自動的に判断する無鳴動着信機能を有する装置が知られている。この無鳴動着信機能は、画像通信であれば画像受信へ移行し、電話の着信であれば擬似呼出（擬似ＣＩ）信号を電話機（子電話）へ印加して鳴動させるか、その装置のスピーカから呼出音を鳴らしてユーザへ知らせる機能である。
【０００３】
一方、最近では、各国から電子機器の消費電力に関する規制が打ち出されており、画像通信装置においても、記録速度に応じて装置の消費電力を削減することが提言されている。例えば、特許文献１は、無鳴動着信機能で電話機を電話回線から切り離した状態で待機させる（電話機の無鳴動待機）ファクシミリ装置を記載している。そして、この待機時に電話機へ供給するオフフック電圧は、ＤＣＤＣコンバータと鳴動回路を介して供給されており、通常（スタンバイ）時と、省電力（スリープ）時とで異なる二つの電源を使用している。即ち、スタンバイ時には、擬似ＣＩ信号も生成可能な比較的大容量の電源を使用し、スリープ時は、擬似ＣＩ信号を生成する必要がないためオフフック電圧のみを生成する比較的容量の少ない電源を使用している。このようにＤＣＤＣコンバータと鳴動回路に供給する電源を、スリープ時に比較的容量の少ない電源に切り替えることで、スリープ時においても電話機のオフフック検出を可能とし、しかも消費電力を削減している。尚、特許文献１の発明では、電話機のオフフックを検出するためのオフフック電圧を生成しているが、スリープ時においてもＭＰＵへの通電が行われて、ＭＰＵがオフフック電圧の生成動作を制御している。
【先行技術文献】
【特許文献】
【０００４】
【特許文献１】特開２００２−３４４５６６号公報
【発明の概要】
【発明が解決しようとする課題】
【０００５】
上述した従来技術は、ＤＣＤＣコンバータ及び鳴動回路に供給する電源を、スタンバイ時とスリープ時とで切り替えることで、オフフック電圧を電話機に供給しつつ消費電力を削減するものである。しかしながら、ＤＣＤＣコンバータ及び鳴動回路自体の消費電力を削減するものではない。従って、ＤＣＤＣコンバータ及び鳴動回路で消費される電力は、通常２Ｗ程度であり、その電力はスリープ時でも常に消費されることとなる。更に従来技術では、ＤＣＤＣコンバータ及び鳴動回路の設定や切り替え動作を行うため、システム制御用のＭＰＵを常時オンさせている。このためスリープ時、上述の２Ｗ程度の電力消費に加えて、このＭＰＵによる消費電力（例えば数Ｗ程度）も加算されるため、スリープ時の消費電力が増大することになる。この増大した消費電力は、上述の電子機器の消費電力の規制をクリアするための大きな障害となっている。
【０００６】
本発明の目的は、上記従来技術の課題を解決することにある。
【０００７】
本発明の目的は、画像通信装置のスリープ時の消費電力を、より低減させる技術を提供することにある。
【課題を解決するための手段】
【０００８】
上記目的を達成するために本発明の一態様に係る画像通信装置は以下のような構成を備える。即ち、
電話機を接続する画像通信装置であって、
前記画像通信装置を制御する第１制御手段と、
前記電話機のオフフックを検知する検知手段と、
前記電話機を鳴動させる擬似ＣＩ信号、或いは前記検知手段に供給する間欠オフフック電圧を生成する生成手段と、
前記電話機を通信回線に接続するか、前記生成手段に接続するかを切り替える切替手段と、
前記生成手段を制御する第２制御手段と、を有し、
前記第１制御手段は、省電力状態で前記電話機を無鳴動待機させる場合、前記切替手段により前記電話機と前記生成手段とを接続させて省電力状態に移行し、当該省電力状態において前記第２制御手段が前記生成手段により前記間欠オフフック電圧を生成させて前記検知手段に供給させることを特徴とする。
【発明の効果】
【０００９】
本発明によれば、スリープ時に電話機の無鳴動待機を行う際の消費電力を、より低減させることができるという効果がある。
【００１０】
本発明のその他の特徴及び利点は、添付図面を参照とした以下の説明により明らかになるであろう。なお、添付図面においては、同じ若しくは同様の構成には、同じ参照番号を付す。
【図面の簡単な説明】
【００１１】
添付図面は明細書に含まれ、その一部を構成し、本発明の実施形態を示し、その記述と共に本発明の原理を説明するために用いられる。
【図１】本発明の実施形態１に係るファクシミリ装置の構成を説明するブロック図。
【図２】実施形態１に係るファクシミリ装置の間欠制御回路及び擬似ＣＩ送出回路の動作を説明するブロック図。
【図３】実施形態１に係る間欠制御回路から出力されるパルス信号と、擬似ＣＩ送出回路から出力される擬似ＣＩ信号の波形例を示すタイミングチャート。
【図４】実施形態１に係る間欠制御回路から出力されるＤＣＤＣオンオフ信号と、間欠オフフック電圧のタイミングチャート。
【図５】本実施形態１に係るファクシミリ装置におけるスリープ移行時の動作を説明するフローチャート。
【図６】本発明の実施形態１に係るファクシミリ装置におけるスリープ状態からの復帰時の動作を説明するフローチャート。
【図７】本発明の実施形態２に係るファクシミリ装置の間欠制御回路及びＤＣ電源回路の構成を説明するブロック図。
【図８】本発明の実施形態２に係るファクシミリ装置におけるスリープ移行時の動作を説明するフローチャート。
【図９】本発明の実施形態２に係るファクシミリ装置におけるスリープ状態からの復帰時の動作を説明するフローチャート。
【発明を実施するための形態】
【００１２】
以下、添付図面を参照して本発明の実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。
【００１３】
［実施形態１］
以下、本発明に係る画像通信装置の一例を、実施形態に係るファクシミリ装置を例に説明する。このファクシミリ装置は、接続している電話機を例えば、ＦＡＸ／ＴＥＬモ−ドに設定している場合、電話機を通信回線から切り離した状態で待機させている。このような待機状態でもユーザが電話機を使用できるようにするために、電話機のオフフックを検出するためのオフフック電圧を電話機に供給する必要がある。このオフフック電圧は、電話機を擬似的に鳴動させる必要がない場合は、擬似ＣＩ送出回路のＤＣＤＣコンバータを間欠動作させることにより生成している。本実施形態では、ファクシミリ装置がスリープ状態（省電力状態）で電話機を無鳴動状態で待機させる場合は、電話機を通信回線から切り離し、間欠オフフック電圧を生成して電話機に供給することにより、スリープ状態における消費電力をより少なく抑えている。
【００１４】
図１は、本発明の実施形態１に係るファクシミリ装置１００の構成を説明するブロック図である。
【００１５】
システム・オン・チップ（ＳＯＣ）１０１は、このファクシミリ装置１００の全体を制御する。ＣＰＵ１０２は、このＳＯＣ１０１に実装されており、メモリ１０３に記憶されているプログラムを実行することにより、このファクシミリ装置１００全体の動作を制御している。ＳＯＣ１０１に接続されたメモリ１０３は主記憶メモリであり、ＳＯＣ１０１のＣＰＵ１０２のワークメモリ、ＣＰＵ１０２により実行される制御プログラムを格納するメモリとして機能する。またメモリ１０３は、ファクシミリ送信、或いはファクシミリ受信等の際に、画像データや各種情報を一時的に記憶するためのメモリとしても使用され、またユーザが設定した各種情報を格納するのにも使用される。ＳＤＡＡプログラム１０４は、モデム１０５に転送され、モデム１０５のＲＡＭ１０６に展開された後に、ＤＳＰ１０７で実行されるプログラムである。
【００１６】
ＳＯＣ１０１には、操作パネル１１０、読取部（スキャナ）１１３、記録部（プリンタ部）１１４、インタフェース（ＩＦ）部１１５が接続されている。操作パネル１１０は、表示器１１１及びキーボード部１１２を有し、これらはユーザインタフェースとして機能する。表示器１１１は、このファクシミリ装置の状態やメニューなどの表示を行う。またキーボード部１１２は、ユーザからの各種指示の入力を受け付けるボタンやテンキー等のハードキーを含み、ユーザは、このキーボード部１１２を使用して、各種設定情報等を入力できる。尚、表示器１１１は、タッチパネル機能を有しているときは、表示器１１１はこのキーボード部１１２の機能の一部を有する。読取部１１３は、原稿の画像を読み取って画像データを生成する。こうして生成された画像データは、通信回線１１６、公衆回線網（ＰＳＴＮ）１１７を介して相手ファクシミリ装置１１８にファクシミリ送信されても良く、或いは記録部１１４で印刷されても良い。インタフェース（ＩＦ）部１１５は、各種の情報機器が外部から接続される場合のインタフェースとして機能する。
【００１７】
モデム１０５はＳＯＣ１０１に接続されており、ＳＯＣ１０１の制御に基づいて動作する変復調器である。モデム１０５は、ファクシミリ送信の対象となる、読取部１１３が原稿を読み取って得られた画像データを用いた変調処理と、通信回線１１６を介して受信した信号の復調処理を行う。モデム１０５は、絶縁素子１１９を介してＳＤＡＡ（シリコン・データ・アクセス・アレンジメント）１２０と接続されている。モデム１０５のＲＯＭ１０８は、ＲＡＭ１０６に展開されてＤＳＰ１０７により実行されるプログラムを格納している。ＲＡＭ１０６は、ＤＳＰ１０７により実行される、上述のＳＤＡＡプログラム１０４、及びＲＯＭ１０８に記憶されているプログラムを展開するのに使用される。ＤＳＰ１０７は、ＲＡＭ１０６に展開されたプログラムを実行してモデム１０５の動作を制御する。レジスタ１０９は、ＳＤＡＡ１２０の状態を格納、或いは、ＳＯＣ１０１からの指示を格納するためのレジスタである。
【００１８】
ＳＤＡＡ１２０は網制御部の一例であって、半導体ＮＣＵ（ネットワーク制御ユニット）である。ＳＤＡＡ１２０は通信回線１１６と接続されており、ファクシミリ装置１００と外部の公衆回線網１１７とのインタフェースとして機能する。またＳＤＡＡ１２０は、通信回線１１６を介して相手側装置との間で通信を行う際に、回線の接続（捕捉）状態を制御する。ファクシミリ装置１００に外付けされた電話機１２１は、Ｈリレー１２２を介して通信回線１１６に接続されており、ＳＤＡＡ１２０は、電話機１２１と並列に通信回線１１６に接続されている。ＳＤＡＡ１２０は、ファクシミリ送受信を行う場合に、回線を捕捉してその通信を制御するだけでなく、電話機１２１が通信回線１１６を介して相手側装置との間で音声通信を行う場合にも、回線の捕捉状態を制御する。ＳＤＡＡ１２０は、これらの制御をＳＯＣ１０１の制御に基づいて実行する。
【００１９】
ＳＤＡＡ１２０は、回線捕捉部１２３を使用して回線の直流捕捉状態を制御する。この回線捕捉部１２３により直流捕捉される場合の直流インピーダンスは可変である。このインピーダンスは、予め設定された、直流的な電圧に対する電流特性（以下、ＤＣ−ＶＩ特性）を制御することにより得られる。電圧検知部１２４は、回線上の電圧をモニタする。電流検知部１２５は、回線上の電流をモニタする。ＤＴ検出部１２６は、回線上のダイアルトーン信号をモニタする。ＡＣフィルタ部１２７は、電圧検知部１２４或いは電流検知部１２５の前段に接続され、電圧検知部１２４或いは電流検知部１２５でＤＣ電圧或いは電流を検知する場合に、ＡＣ成分による誤検知を防止する。
【００２０】
直流捕捉回路１２８は、トランジスタなどの電流源により構成されるＳＤＡＡ１２０の周辺回路であり、電流源の電流を調整することにより、直流捕捉を行いながらＳＤＡＡ１２０の制御で直流インピーダンスの調整を行う。直流捕捉回路１２８は、回線開放状態を作り出したり、回線に対する選択信号の一種であるダイヤルパルスの送出にも使用される。整流回路１２９はダイオードブリッジ等を有し、通信回線１１６からの信号を整流してＳＤＡＡ１２０へ伝える。受信ＩＦ回路１３０は、通信回線１１６を介して受信されるファクシミリの信号などを受信するためのインタフェース回路である。交流インピーダンス整合回路１３１は、例えば、日本の場合は、通信中の交流インピーダンスを６００オームに合わせるための回路である。ノイズ除去回路１３２は、通信回線１１６からの雷サージ、電磁ノイズなどを抑制し、逆に通信回線１１６を介して、ファクシミリ装置１００のノイズが送出されるのを防ぐ回路である。保護素子１３３は、ヒューズ等で構成される電流保護素子である。
【００２１】
ＣＩ検知回路１３４は通信回線１１６に接続されており、通信回線１１６から受信した呼び出し信号（以下、ＣＩ信号）を検知する。ＣＩ検知回路１３４は、通信回線１１６からのＣＩ信号を検知すると、そのことを示すＣＩ検知信号１３５をＳＯＣ１０１に送信する。ＳＯＣ１０１は、そのＣＩ検知信号１３５に基づいて、通信回線１１６からＣＩ信号の着信があったか否かを判定する。
【００２２】
Ｈリレー１２２は、フック検知回路１３６を介して接続される外付けの電話機１２１を擬似ＣＩ送出回路１３７或いは通信回線１１６に接続するための回路である。Ｈリレー１２２は、外付けの電話機１２１を通信回線１１６へ接続した接続状態と、通信回線１１６から切断した切断状態との間の切替えを行う。Ｈリレー１２２は、ＳＯＣ１０１からのＨリレー駆動信号１３８により、その切り替えが制御される。尚、図１に示すようにＨリレー１２２が、電話機１２１を通信回線１１６から切り離している場合、ＣＩ信号を着信しても電話機１２１は鳴動しない、所謂、ファクシミリ装置１００の無鳴動着信状態となる。
【００２３】
フック検知回路１３６は電話機１２１と接続されており、電話機１２１のオフフック、オンフックを検知する。フック検知回路１３６は、電話機１２１のオフフック又はオンフックの検知結果を、フック検知信号１３９によりＳＯＣ１０１へ伝達する。ＳＯＣ１０１は、このフック検知信号１３９に基づいて、電話機１２１におけるフックの状態を判定する。フック検知回路１３６は、Ｈリレー１２２によって、電話機１２１が通信回線１１６に接続された場合、及び電話機１２１が擬似ＣＩ送出回路１３７に接続された場合の何れでも、電話機１２１に流れる電流を検知する。これによってフック検知回路１３６は、常に、電話機１２１におけるオフフック又はオンフックの状態を検知することができる。
【００２４】
擬似ＣＩ送出回路１３７は、擬似ＣＩ信号を電話機１２１に送出する。この擬似ＣＩ信号は、通信回線１１６を介して相手側装置からのＣＩ着信があった場合に、回線から切断された状態にある電話機１２１を鳴動させるために電話機１２１に送信される信号である。従って擬似ＣＩ送出回路１３７は、無鳴動着信状態のときは擬似ＣＩ信号を送出する必要がないため、電話機１２１のオフフック又はオンフックを検知するために、フック検知回路１３６に対して間欠オフフック電圧を出力する電源として機能する。ＳＯＣ１０１は、ファクシミリ装置１００の動作モードに応じて、擬似ＣＩ送出回路１３７により擬似ＣＩ信号を生成するか、或いは間欠オフフック電圧を生成するかを選択することができる。
【００２５】
間欠制御回路１４０は、擬似ＣＩ送出回路１３７を駆動するための擬似ＣＩ駆動信号１４１を送出する。擬似ＣＩ信号を生成する場合は、ＳＯＣ１０１と間欠制御回路１４０とのシリアル通信１４２により、ＳＯＣ１０１が間欠制御回路１４０を介して擬似ＣＩ駆動信号１４１を擬似ＣＩ送出回路１３７に送出させる。これにより擬似ＣＩ送出回路１３７は、擬似ＣＩ信号を電話機１２１に対して送出する。一方、間欠オフフック電圧を生成してフック検知回路１３６に供給する場合、擬似ＣＩ駆動信号１４１の制御をＳＯＣ１０１から間欠制御回路１４０に移行し、間欠制御回路１４０が擬似ＣＩ駆動信号１４１の送出制御を行う。これによりＳＯＣ１０１がスリープ状態に移行した後、間欠制御回路１４０が、オフフック電圧のオンとオフを繰り返す間欠オフフック電圧をフック検知回路１３６に送出する。
【００２６】
図２は、実施形態１に係るファクシミリ装置１００の間欠制御回路１４０及び擬似ＣＩ送出回路１３７の動作を説明するブロック図である。
【００２７】
間欠制御回路１４０は、インタフェース（ＩＦ）回路２０１、間欠信号生成回路２０２、及び切り替えスイッチ２０３を有し、擬似ＣＩ送出回路１３７を制御するための擬似ＣＩ駆動信号１４１を出力する。ここで擬似ＣＩ駆動信号１４１は、ＤＣＤＣオンオフ信号２０４、パルス信号２０５、イネーブル信号２０６を含んでいる。
【００２８】
ＩＦ回路２０１は、例えばＳＰＩ（シリアルペリフェラルインタフェース）等のＳＯＣ１０１と双方向シリアル通信１４２を行うためのインタフェースである。間欠信号生成回路２０２は、擬似ＣＩ送出回路１３７が間欠オフフック電圧を出力するための制御信号（ＤＣＤＣオンオフ信号）を生成するための回路である。
【００２９】
切り替えスイッチ２０３は、擬似ＣＩ送出回路１３７を制御するための擬似ＣＩ駆動信号１４１を、間欠信号生成回路２０２から供給するか、ＳＯＣ１０１がＩＦ回路２０１を介して供給するかを切り替えている。切り替えスイッチ２０３の切り替え制御は、ＳＯＣ１０１がＩＦ回路２０１を介して行う。
【００３０】
擬似ＣＩ送出回路１３７は、ＤＣＤＣコンバータ２１０、鳴動回路２１１、フォトカプラ２１２，２１３、スイッチ２１４を含み、間欠制御回路１４０より出力される擬似ＣＩ駆動信号１４１により、擬似ＣＩ信号、或いは間欠オフフック電圧を出力する。ＤＣＤＣコンバータ２１０は、入力電圧２４Ｖinより、２４Ｖの電圧２１５と−１５６Ｖの電圧２１６を生成し、ＤＣＤＣオンオフ信号２０４によりＤＣ−ＤＣ動作を実行及び停止する。ここで２４Ｖの電圧２１５と−１５６Ｖの電圧２１６は、トランス２１７により、入力電圧２４Ｖinと絶縁されている。
【００３１】
鳴動回路２１１は、パルス信号２０５のオン／オフにより、ＤＣＤＣコンバータ２１０より供給された２４Ｖの電圧２１５と−１５６Ｖの電圧２１６を切り替えて電話機１２１に出力する。ここでパルス信号２０５は、フォトカプラ２１２を介して絶縁されており、この絶縁された信号により鳴動回路２１１の出力が切り替えられている。スイッチ２１４は、フォトカプラ２１３を介して絶縁されたイネーブル信号２０６により、鳴動回路２１１の出力をＶout２１８として出力するか否かを切り替える。
【００３２】
ところで擬似ＣＩ信号の生成時は、ＳＯＣ１０１により、スイッチ２０３をＩＦ回路２０１側に切り替え、ＳＯＣ１０１が、直接、擬似ＣＩ送出回路１３７を制御する。即ち、ＳＯＣ１０１はＩＦ回路２０１を介して、ＤＣＤＣコンバータ２１０を動作させるためＤＣＤＣオンオフ信号２０４をオンに制御する。ＳＯＣ１０１は、２４Ｖの電圧２１５と−１５６Ｖの電圧２１６を切り替えを制御し、擬似ＣＩ信号を生成するためパルス信号２０５を鳴動回路２１１に供給する。このように鳴動回路２１１にて生成された擬似ＣＩ信号は、イネーブル信号２０６をオンにすることにより、スイッチ２１４を介してＶout２１８として出力され、これを受けた電話機１２１は、着信があることを鳴動により知らせる。
【００３３】
尚、擬似ＣＩ送出回路１３７では、トランス２１７、フォトカプラ２１２，２１３により、入力側である一次側回路２２０と、出力側である二次側回路２２１が境界線２２２で絶縁されている。これは、安全性のため、ＤＣＤＣコンバータ２１０で生成する−１５６Ｖの高電圧や、電話回線等の外部より混入する誘導雷が一次側回路２２０側からユーザが接触する可能性のある二次側回路２２１へ回り込まないようにするためである。
【００３４】
図３は、実施形態１に係る間欠制御回路１４０から出力されるパルス信号２０５と、擬似ＣＩ送出回路１３７から出力される擬似ＣＩ信号の波形例を示すタイミングチャートである。
【００３５】
ここでは、パルス信号２０５を擬似ＣＩ送出回路１３７に供給することにより、ＤＣＤＣコンバータ２１０で生成した２４Ｖの電圧２１５と−１５６Ｖの電圧２１６とを切り替えてＶout２１８（擬似ＣＩ信号）を生成している。ここではパルス信号２０５がオンのときは２４Ｖの電圧２１５が出力され、パルス信号２０５がオフのときは−１５６Ｖの電圧２１６が出力されている。こうして擬似ＣＩ信号が生成されると、電話機１２１がその擬似ＣＩ信号により鳴動する。
【００３６】
図４は、実施形態１に係る間欠制御回路１４０から出力されるＤＣＤＣオンオフ信号２０４と、間欠オフフック電圧のタイミングチャートである。
【００３７】
間欠オフフック電圧の生成時は、ＳＯＣ１０１により、スイッチ２０３を間欠信号生成回路２０２側に切り替えて擬似ＣＩ送出回路１３７を制御する。即ち、間欠信号生成回路２０２より、ＤＣＤＣコンバータ２１０の動作と停止を繰り返すＤＣＤＣオンオフ信号２０４による制御を行う。この際、擬似ＣＩ信号は生成しないため、パルス信号２０５は、２４Ｖの電圧２１５を出力するように固定される。そしてイネーブル信号２０６をオンに設定してスイッチ２１４をオンにし、間欠オフフック電圧を擬似ＣＩ送出回路１３７よりＶout２１８としてフック検知回路１３６に出力する。
【００３８】
ここで、ＤＣＤＣオンオフ信号２０４は、例えば１００ｍｓのオン期間と９００ｍｓのオフ期間を繰り返す信号であり、１００ｍｓのオン期間のみＤＣＤＣコンバータ２１０を動作させ、９００ｍｓのオフ期間はＤＣＤＣコンバータ２１０を停止させる。従って、擬似ＣＩ送出回路１３７の出力であるＶout２１８は、１００ｍｓのオン期間のみ２４Ｖの電圧２１５を出力する間欠オフフック電圧となる。そして、この２４Ｖの電圧２１５を出力している期間で、フック検知回路１３６は電話機１２１のオフフックを検知できる。
【００３９】
ここでＤＣＤＣオンオフ信号２０４では、オン期間に対してオフ期間の比率が高いほどＤＣＤＣコンバータ２１０が停止している比率が高くなるため、より消費電力を削減できる。ここでは、１００ｍｓのオン期間と９００ｍｓのオフ期間としてデューティを１／１０に設定しているが、本発明はこれに限らず、任意の値に設定できるようにしても良い。この場合は、外付け電話機１２１のオフフック検出の反応時間と消費電力の削減効果が変わることになり、これらの兼ね合いで設定値を決める必要がある。例えば、前述のデューティを１／７．５とした場合、擬似ＣＩ送出回路１３７の消費電力は、２４Ｖ、７５ｍＡの１．８Ｗから、２４Ｖ、１０ｍＡの０．２４Ｗに減少できる。
【００４０】
図５は、本発明の実施形態１に係るファクシミリ装置１００におけるスリープ移行時の動作を説明するフローチャートである。この処理を実行するプログラムはメモリ１０３に格納されており、ＣＰＵ１０２がそのプログラムを実行することにより、このフローチャートで示す処理が達成される。
【００４１】
まずＳ５０１でＣＰＵ１０２は、このファクシミリ装置１００に予め設定されたスリープ状態への移行条件を満足したかどうか判定する。Ｓ５０１でＣＰＵ１０２がこの移行条件を満足したと判定するとＳ５０２に進みＣＰＵ１０２は、電話機１２１を無鳴動待機させた状態でオフフック電圧を供給する必要があるか否か判定する。
【００４２】
実施形態１に係るファクシミリ装置１００は、例えば、着信呼出し、リモート受信、ＦＡＸＴＥＬ切り替え、手動受信、無鳴動自動受信等の機能を有しており、それらの機能が設定されている場合は、スリープ時に電話機１２１の無鳴動待機を行っている。これは、仮に電話機１２１を鳴動待機にすると、着信があったときにスリープからの復帰動作を開始すると同時に電話機１２１が鳴動する。このため、スリープからの復帰が完了する前にユーザがフックアップすることが想定されるためである。このように、機能を実行するＳＯＣ１０１がスタンバイになる前に、ユーザがフックアップすると、ユーザが操作した状態をＳＯＣ１０１が認識できないため機能を実行できなくなる。このため、これらの機能を設定する場合は、電話機１２１を無鳴動待機にするようにしている。
【００４３】
Ｓ５０２でＣＰＵ１０２は、電話機１２１を無鳴動待機させるためにオフフック電圧をフック検知回路１３６に供給する必要があると判定するとＳ５０３に処理を進め、そうでないときはＳ５０８に処理を進める。Ｓ５０３でＣＰＵ１０２は、間欠制御回路１４０の設定が行われているかどうか判定する。これは、スタンバイにおいても、既に間欠制御回路１４０の設定が行われていれば、電話機１２１の無鳴動待機を行うために間欠オフフック電圧を供給できるため、このような設定がなされているかどうか判定するものである。Ｓ５０３で間欠制御回路１４０の設定が未設定であればＳ５０４に進み、設定済であればＳ５０６に進む。
【００４４】
Ｓ５０４でＣＰＵ１０２は、オフフック電圧の間欠動作を行うために必要な各種設定、例えば間欠動作のデューティ等を間欠制御回路１４０に設定する。次にＳ５０５に進みＣＰＵ１０２は、間欠制御回路１４０を介して擬似ＣＩ駆動信号１４１を出力して擬似ＣＩ送出回路１３７を駆動し、間欠制御回路１４０から間欠オフフック電圧の出力を開始させてＳ５０６に進む。
【００４５】
一方、Ｓ５０２で電話機１２１を無鳴動待機させるためにオフフック電圧をフック検知回路１３６に供給する必要が無いときはＳ５０８に進みＣＰＵ１０２は、間欠制御回路１４０の動作のオフ設定を行う。次にＳ５０９に進みＣＰＵ１０２は、擬似ＣＩ送出回路１３７の入力電源を遮断してＳ５０６に進む。これはＳ５０２で電話機１２１の鳴動待機を行う場合は、電話機１２１と通信回線１１６とはＨリレー１２２を介して接続されているため、スリープ時に電話機１２１に間欠オフフック電圧を供給する必要がないためである。このようにしてＳ５０８で擬似ＣＩ送出回路１３７の入力電圧を遮断するための、例えばシャットダウンシーケンス等の処理を行い、Ｓ５０９で擬似ＣＩ送出回路１３７の入力電源を遮断するものである。
【００４６】
そしてＳ５０６でＣＰＵ１０２は、ＳＯＣ１０１の動作を停止し、Ｓ５０７でファクシミリ装置１００をスリープ状態に移行させる。このときＳＯＣ１０１は、Ｓ５０４，Ｓ５０５で擬似ＣＩ送出回路１３７が間欠動作を行うための各種設定と動作の開始指示を行っている。従って、これ以降は、電話機１２１の無鳴動待機を行う場合は、間欠制御回路１４０が送出する擬似ＣＩ駆動信号１４１により、上述した間欠動作が継続して実行される。このため、スリープ状態で間欠動作を継続している間は、その間欠動作にＳＯＣ１０１が関与する必要がないため、スリープ状態に移行する際、ＳＯＣ１０１への通電を停止して、ＳＯＣ１０１をスリープ状態にすることが可能となる。
【００４７】
以上説明した処理により、スリープ状態で電話機１２１を無鳴動待機させる場合、ＳＯＣ１０１への電源供給が停止したままで、間欠制御回路１４０の制御により間欠オフフック電圧がフック検知回路１３６に供給される。これによりスリープ状態での消費電力を、より少なく抑えたままで、電話機１２１を無鳴動待機させることができる。
【００４８】
図６は、本発明の実施形態１に係るファクシミリ装置１００におけるスリープ状態からの復帰時の動作を説明するフローチャートである。この処理を実行するプログラムはメモリ１０３に格納されており、ＣＰＵ１０２がそのプログラムを実行することにより、このフローチャートで示す処理が達成される。
【００４９】
先ずＳ６０１でＣＰＵ１０２は、ファクシミリ装置１００でスリープ状態からの復帰要因が発生したか否かを判定する。スリープ状態からの復帰要因とは、例えばファクシミリ装置１００の操作パネル１１０の操作や、外付け電話機１２１のフックアップ操作、通信回線１１６を介して相手側装置からのＣＩ着信があった場合等である。ここでは、例えば通信回線１１６を介して相手側装置からのＣＩ着信があった場合、ＣＩ検知回路１３４からＣＩ検知信号１３５がＳＯＣ１０１に供給されて、ＣＰＵ１０２はスリープ状態からの復帰要因が発生したと判定する。Ｓ６０１でスリープ状態からの復帰要因が発生したと判定するとＳ６０２に進みＣＰＵ１０２は、スリープ状態からの復帰用の割り込み信号によりファクシミリ装置１００をスリープ状態より復帰させ、スタンバイ状態になったかどうか判定する。ここでスタンバイ状態になったと判定するとＳ６０３に進みＣＰＵ１０２は、ＳＰＩ等の双方向シリアル通信１４２により、間欠制御回路１４０の設定を読み込んでＳ６０４に進む。
【００５０】
Ｓ６０４でＣＰＵ１０２は、間欠制御回路１４０に対して間欠動作が設定されていたかどうか判定する。ここで間欠動作が設定されていると判定するとＳ６０５に進む。また間欠動作が設定されていないと判定するとＳ６０８に進みＣＰＵ１０２は、擬似ＣＩ送出回路１３７のオフ操作を行ってＳ６０５に進む。Ｓ６０８では前述の図５のＳ５０８及びＳ５０９での設定を解除して間欠動作に移行させてＳ６０５に進む。即ち、スリープ時、Ｓ５０８及びＳ５０９で擬似ＣＩ送出回路１３７の入力電源を遮断していた場合、スリープ状態から復帰した後、擬似ＣＩ信号が生成できるよう入力電源をオンするとともに間欠動作に移行させる。尚、スリープ状態から復帰した後のスタンバイ時は、間欠動作を行っても、行わなくても良いが、消費電力を削減するためには、このようにスタンバイ時においても間欠動作を行うことが望ましい。
【００５１】
Ｓ６０５でＣＰＵ１０２は、擬似ＣＩ信号を生成するかどうか判定し、Ｓ６０５でＹＥＳと判定した場合、即ち、擬似ＣＩ信号を生成して電話機１２１を鳴動させる場合はＳ６０６に進む。Ｓ６０６でＣＰＵ１０２は、間欠動作を解除し、擬似ＣＩ送出回路１３７をＳＯＣ１０１が直接制御するよう切り替える。そしてＳ６０７に進みＣＰＵ１０２は、パルス信号２０５を擬似ＣＩ送出回路１３７に出力して擬似ＣＩ信号を生成して送出させることにより電話機１２１を鳴動させる。
【００５２】
このとき間欠制御回路１４０は、ＳＯＣ１０１が擬似ＣＩ信号を生成するために擬似ＣＩ送出回路１３７を制御するため、単なるバイパス回路として働く。一方、間欠オフフック電圧を生成するために間欠信号生成回路２０２が制御する場合、ＳＯＣ１０１が間欠制御回路１４０の設定を行うが、設定後は、間欠信号生成回路２０２で生成される擬似ＣＩ駆動信号によりオフフック電圧の制御が行われる。この際、間欠信号生成回路２０２はＤＣＤＣオンオフ信号２０４の繰り返し信号を生成する。この間欠信号生成回路２０２は、例えばカウンタ回路やタイマ回路等の比較的簡易なロジック回路で構成できる。この間欠制御回路１４０は、これに限らず他の構成でも実現可能であり、例えばＳＯＣ１０１に較べて消費電力が少ないサブＣＰＵを用いても実現できる。
【００５３】
以上説明したように実施形態１によれば、スリープ状態で、接続している電話機を無鳴動状態で待機させるときは、ＣＰＵの制御に依らず、簡単な回路で間欠オフフック電圧をフック検知回路に供給できる。従って、スリープ状態でも電話機のオフフックを検出することができるとともに、スリープ状態における消費電力を、より少なく抑えることができる。また、その間欠オフフック電圧のデューティを変更してオンの割合を少なくすることにより、電話機を無鳴動状態で待機させるときに、より消費電力を少なくできるという効果がある。
【００５４】
［実施形態２］
次に本発明の実施形態２を説明する。実施形態２では、前述の擬似ＣＩ信号を生成せずに間欠オフフック電圧を電話機１２１に出力する例で説明する。尚、実施形態２に係るファクシミリ装置１００の構成では、実施形態１に係る間欠制御回路１４０及び擬似ＣＩ送出回路１３７が、実施形態２に係る間欠制御回路７００及びＤＣ電源回路７１０に置き換わっている。そして、ファクシミリ装置１００の他の構成は前述の実施形態１と基本同じであるため、それらの説明を省略する。
【００５５】
図７は、本発明の実施形態２に係るファクシミリ装置１００の間欠制御回路７００及びＤＣ電源回路７１０の構成を説明するブロック図である。
【００５６】
実施形態２では、前述の図２の間欠制御回路１４０と擬似ＣＩ送出回路１３７の代りに、間欠制御回路７００とＤＣ電源回路７１０を用いている点が実施形態１と異なっている。ＤＣ電源回路７１０は、電話機１２１のオフフックを検出するための間欠オフフック電圧を生成する回路で、図２で説明した擬似ＣＩ信号を生成する機能は有していない。その他の部分は図１のブロック構成と同様である。
【００５７】
間欠制御回路７００は、インタフェース（ＩＦ）回路７０１、間欠信号生成回路７０２を有し、ＤＣ電源回路７１０を制御するための駆動信号７０３であるＤＣＤＣオンオフ信号７０４とイネーブル信号７０５を出力する。ＩＦ回路７０１は、例えばＳＰＩ（シリアルペリフェラルインタフェース）等のＳＯＣ１０１との双方向シリアル通信１４２を行うためのインタフェースである。間欠信号生成回路７０２は、ＤＣ電源回路７１０が間欠動作を行うための駆動信号７０３を生成する。
【００５８】
次にＤＣ電源回路７１０の構成を説明する。
【００５９】
ＤＣＤＣコンバータ７１１は、入力電圧２４Ｖinより、２４Ｖの電圧７１５を生成する回路であり、ＤＣＤＣオンオフ信号７０４によりＤＣＤＣ動作を停止させることができる。２４Ｖの電圧７１５は、トランス７１２により入力電圧２４Ｖinと絶縁されている。スイッチ７１４は、イネーブル信号７０５がフォトカプラ７１３を介して絶縁され、この絶縁された信号により切り替えられることにより、ＤＣＤＣコンバータ７１１の出力をＤＣ電源回路７１０より出力するか否かを切り替える。間欠オフフック電圧の生成時は、間欠信号生成回路７０２は、ＤＣＤＣコンバータ７１１の動作と停止を繰り返すＤＣＤＣオンオフ信号７０４による制御を行う。この際、スイッチ７１４をオンにして間欠オフフック電圧をＤＣ電源回路７１０よりＶout７１６として出力するためイネーブル信号７０５をオンに設定する。
【００６０】
尚、ここでＤＣＤＣオンオフ信号７０４と間欠オフフック電圧のタイミングチャートは、前述の実施形態１に係る図４で説明した内容と同じである。
【００６１】
尚、トランス７１２、フォトカプラ７１３により、一次側回路７２０と二次側回路７２１が境界線７２２で絶縁されている。これは、安全性のため、電話回線等の外部より混入する誘導雷が一次側回路７２０側からユーザが接触する可能性のある二次側回路７２１側へ回り込まないようにするためである。
【００６２】
ここにおいて、間欠制御回路７００がＤＣ電源回路７１０を制御して間欠オフフック電圧を生成している。この際、まず間欠制御回路７００の設定をＳＯＣ１０１がＩＦ回路７０１を介して行い、間欠信号生成回路７０２の動作開始を指示する。そして、その後は間欠信号生成回路７０２で生成される駆動信号７０３によりＤＣ電源回路７１０の制御を継続し、間欠オフフック電圧を生成する。
【００６３】
ここで、間欠信号生成回路７０２は、ＤＣＤＣオンオフ信号７０４の繰り返し信号を生成しており、この回路は、例えばカウンタ回路やタイマ回路等の比較的簡易なロジック回路で構成できる。この間欠制御回路７００は、これに限らず他の構成でも実現可能であり、例えばＳＯＣ１００に較べて消費電力が少ないサブＣＰＵを用いても実現できる。
【００６４】
図８は、本発明の実施形態２に係るファクシミリ装置１００におけるスリープ移行時の動作を説明するフローチャートである。この処理を実行するプログラムはメモリ１０３に格納されており、ＣＰＵ１０２がそのプログラムを実行することにより、このフローチャートで示す処理が達成される。尚、図８において、前述の図５と同じ処理を実行するステップは同じ符号で示し、それらの説明を省略する。
【００６５】
Ｓ８０５でＣＰＵ１０２は、間欠信号生成回路７０２から駆動信号７０３を出力させてＤＣ電源回路７１０を制御し、間欠オフフック電圧の出力を開始させてＳ８０６に進み、ＣＰＵ１０２をスリープ状態に移行させる。
【００６６】
Ｓ５０２で電話機１２１を無鳴動待機させるためにオフフック電圧を供給する必要が無いときはＳ５０８に進み、間欠制御回路７００のオフ設定を行ってＳ８０９に進む。Ｓ８０９でＣＰＵ１０２は、ＤＣ電源回路７１０の入力電源を遮断してＳ８０６に進む。即ち、Ｓ５０２で電話機１２１の鳴動待機を行う場合は、電話機１２１と通信回線１１６とが接続されているため、スリープ時に電話機１２１に間欠オフフック電圧を供給する必要がない。このため、Ｓ５０８でＤＣ電源回路７１０の入力電源を遮断するための、例えばシャットダウンシーケンス等の処理を行い、この後、Ｓ８０９でＤＣ電源回路７１０の入力電源を遮断する。
【００６７】
Ｓ８０６でＣＰＵ１０２は、ＳＯＣ１０１の動作を停止させてＳ５０７に進み、ファクシミリ装置１００をスリープ状態に移行させる。
【００６８】
以上説明した処理により、スリープ状態で電話機１２１を無鳴動待機させる場合、ＳＯＣ１０１への電源供給が停止したままで、間欠制御回路１４０の制御により間欠オフフック電圧がフック検知回路１３６に供給される。これによりスリープ状態での消費電力を、より少なく抑えたままで、電話機１２１を無鳴動待機させることができる。
【００６９】
図９は、本発明の実施形態２に係るファクシミリ装置１００におけるスリープ状態からの復帰時の動作を説明するフローチャートである。この処理を実行するプログラムはメモリ１０３に格納されており、ＣＰＵ１０２がそのプログラムを実行することにより、このフローチャートで示す処理が達成される。
【００７０】
実施形態２に係るＤＣ電源回路７１０は、実施形態１の擬似ＣＩ信号を生成する機能がない。従って図９は、図６の擬似ＣＩ信号を生成する処理Ｓ６０５〜Ｓ６０７を削除したもので、その他は同様である。このため、このフローチャートの説明を省略する。
【００７１】
以上説明したように実施形態２によれば、スリープ状態で、接続している電話機を無鳴動状態で待機させるときは、ＣＰＵの制御に依らず、簡単な回路で間欠オフフック電圧をフック検知回路に供給できる。従って、スリープ状態でも電話機のオフフックを検出することができるとともに、スリープ状態における消費電力を、より少なく抑えることができる。また、その間欠オフフック電圧のデューティを変更してオンの割合を少なくすることにより、電話機を無鳴動状態で待機させるときに、より消費電力を少なくできるという効果がある。
【００７２】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００７３】
本発明は上記実施形態に制限されるものではなく、本発明の精神及び範囲から離脱することなく、様々な変更及び変形が可能である。従って、本発明の範囲を公にするために、以下の請求項を添付する。
【符号の説明】
【００７４】
１０１…ＳＯＣ、１０２…ＣＰＵ、１０５…モデム、１２０…ＳＤＡＡ、１２１…電話機、１３７…擬似ＣＩ送出回路、１４０…間欠制御回路、２０２…間欠信号生成回路、２０３…スイッチ、２１０…ＤＣＤＣコンバータ
【図１】
2018050266.tif 000003
【図２】
2018050266.tif 000004
【図３】
2018050266.tif 000005
【図４】
2018050266.tif 000006
【図５】
2018050266.tif 000007
【図６】
2018050266.tif 000008
【図７】
2018050266.tif 000009
【図８】
2018050266.tif 000010
【図９】
2018050266.tif 000011